(57)【要約】【課題】全長を短くすることができるモータを提供する。【解決手段】有底筒状のヨーク１１と、減速機構を収納したギヤケース１３を備え、ヨーク１１とギヤケース１３を締結固定するモータ１０において、ヨーク１１の開口部にその開口端１１ｂから底部１１ｃ側に延びるスリット１１ｄを介してフランジ部１２を折り曲げ形成し、ギヤケース１３の開口部に締結部１４より後退する係合凹部１５を形成し、この係合凹部１５内にヨーク１１の開口端１１ｂを係合してヨーク１１とギヤケース１３をボルト１６とナット１７を介して締結固定すると共に、ギヤケース１３の係合凹部１５に位置するヨーク１１にブラシホルダ２４を収納するようにした。【選択図】図１
2008086110.tif 000002
【特許請求の範囲】
【請求項１】
金属製で有底筒状のモータケースと、減速機構が収納される樹脂製のギヤケースとを備え、前記モータケースの内周面に配置された一対のマグネットと、前記モータケースに設けられた軸受と前記ギヤケースに設けられた軸受とでアーマチュア軸を回転自在に支持し、前記アーマチュア軸の一対のマグネットに対向する位置にアーマチュアを取り付け、前記アーマチュア軸にコンミュテータを固定し、前記コンミュテータに押圧するブラシを保持するブラシホルダとを備えたモータにおいて、前記モータケースの開口部に径方向外側に延びるフランジ部を形成すると共に、該フランジ部にねじ部材を挿通させる挿通孔を形成する一方、前記ギヤケースの開口部に前記ねじ部材を締結する締結部を形成し、前記フランジ部の挿通孔より前記ねじ部材を挿通すると共に該ねじ部材のねじ部を前記締結部に螺合し、前記ギヤケースの開口部に前記締結部より後退する係合凹部を形成し、この係合凹部内に前記モータケースの開口端を係合して前記モータケースと前記ギヤケースとを前記ねじ部材を介して締結固定すると共に、前記ギヤケースの係合凹部に位置する前記モータケース内にブラシホルダを収納するようにしたことを特徴とするモータ。
【請求項２】
金属製で有底筒状のモータケースと、このモータケースの開口部に結合され減速機構が収納される樹脂製のギヤケースとを備え、前記モータケースの内周面に配置された一対のマグネットと、前記モータケースに設けられた軸受と前記ギヤケースに設けられた軸受とでアーマチュア軸を回転自在に支持し、前記アーマチュア軸の一対のマグネットに対向する位置にアーマチュアを取り付け、前記アーマチュア軸にコンミュテータを固定し、前記コンミュテータに押圧するブラシを保持するブラシホルダとを備えたモータにおいて、前記モータケースの開口部に該開口部の開口端から底部側に延びる一対のスリットを介して径方向外側に延びるフランジ部を折り曲げ形成し、該フランジ部にボルトのシャンク部を挿通させる挿通孔を形成し、前記ギヤケースの開口部にナットを係止する締結部を形成し、前記フランジ部の挿通孔より前記ボルトのシャンク部を挿通して前記締結部のナットに該ボルトのシャンク部を螺合して前記モータケースと前記ギヤケースとを締結固定するようにし、前記ギヤケースの開口部に前記締結部より後退する係合凹部を形成し、この係合凹部内に前記モータケースの開口端を係合して前記モータケースと前記ギヤケースとを前記ボルトと前記ナットを介して締結固定すると共に、前記ギヤケースの係合凹部に位置する前記モータケース内にブラシホルダを収納するようにしたことを特徴とするモータ。
【発明の詳細な説明】
【技術分野】
【０００１】
本発明は、アーマチュアを収納したモータケースと減速機構を収納したギヤケースとを結合して成る減速機構付モータ等のモータに関する。
【背景技術】
【０００２】
この種のモータとして、図５に示すものがある（例えば、特許文献１参照。）。
【０００３】
このモータ１は、図５に示すように、有底筒状のヨーク（モータケース）２と、このヨーク２の開口部２ａに結合されるギヤケース４とを備えている。
【０００４】
ヨーク２の開口部２ａの開口端２ｂには径方向の外側に延びる複数のフランジ部３を折り曲げ形成してある。この各フランジ部３にはボルト６のねじを形成したシャンク部６ａを挿通させる挿通孔３ａを形成してある。また、ギヤケース４の開口部４ａにはナット７を係止する締結部５を形成してある。
【０００５】
そして、ヨーク２のフランジ部３の挿通孔３ａよりボルト６のシャンク部６ａを挿通して、ギヤケース４の締結部５に係止されたナット７に該ボルト６のシャンク部６ａを螺合することにより、ヨーク２とギヤケース４とが互いの開口部２ａ，４ａを合わせた状態で締結固定されるようになっている。尚、符号８はアーマチュア軸８ａを有したアーマチュアであり、符号９はブラシ９ａを有したブラシホルダである。
【０００６】
【特許文献１】特開２００５−１６０１９５号公報
【発明の開示】
【発明が解決しようとする課題】
【０００７】
しかしながら、前記従来のモータ１では、ヨーク２の開口部２ａの開口端２ｂにフランジ部３を設け、ギヤケース４の開口部４ａにヨーク２の開口部２ａを合わせて結合していたので、モータ１の全長が長くなっていた。
【０００８】
そこで、本発明は、前記した課題を解決すべくなされたものであり、全長を短くすることができると共に、レイアウト性を向上させることができるモータを提供することを目的とする。
【課題を解決するための手段】
【０００９】
請求項１の発明は、金属製で有底筒状のモータケースと、減速機構が収納される樹脂製のギヤケースとを備え、前記モータケースの内周面に配置された一対のマグネットと、前記モータケースに設けられた軸受と前記ギヤケースに設けられた軸受とでアーマチュア軸を回転自在に支持し、前記アーマチュア軸の一対のマグネットに対向する位置にアーマチュアを取り付け、前記アーマチュア軸にコンミュテータを固定し、前記コンミュテータに押圧するブラシを保持するブラシホルダとを備えたモータにおいて、前記モータケースの開口部に径方向外側に延びるフランジ部を形成すると共に、該フランジ部にねじ部を挿通させる挿通孔を形成する一方、前記ギヤケースの開口部に前記ねじ部材を締結する締結部を形成し、前記フランジ部の挿通孔より前記ねじ部材を挿通すると共に該ねじ部材のねじ部を前記締結部に螺合し、前記ギヤケースの開口部に前記締結部より後退する係合凹部を形成し、この係合凹部内に前記モータケースの開口端を係合して前記モータケースと前記ギヤケースとを前記ねじ部材を介して締結固定すると共に、前記ギヤケースの係合凹部に位置する前記モータケース内にブラシホルダを収納するようにしたことを特徴とする。
【００１０】
請求項２の発明は、金属製で有底筒状のモータケースと、このモータケースの開口部に結合され減速機構が収納される樹脂製のギヤケースとを備え、前記モータケースの内周面に配置された一対のマグネットと、前記モータケースに設けられた軸受と前記ギヤケースに設けられた軸受とでアーマチュア軸を回転自在に支持し、前記アーマチュア軸の一対のマグネットに対向する位置にアーマチュアを取り付け、前記アーマチュア軸にコンミュテータを固定し、前記コンミュテータに押圧するブラシを保持するブラシホルダとを備えたモータにおいて、前記モータケースの開口部に該開口部の開口端から底部側に延びる一対のスリットを介して径方向外側に延びるフランジ部を折り曲げ形成し、該フランジ部にボルトのシャンク部を挿通させる挿通孔を形成し、前記ギヤケースの開口部にナットを係止する締結部を形成し、前記フランジ部の挿通孔より前記ボルトのシャンク部を挿通して前記締結部のナットに該ボルトのシャンク部を螺合して前記モータケースと前記ギヤケースとを締結固定するようにし、前記ギヤケースの開口部に前記締結部より後退する係合凹部を形成し、この係合凹部内に前記モータケースの開口端を係合して前記モータケースと前記ギヤケースとを前記ボルトと前記ナットを介して締結固定すると共に、前記ギヤケースの係合凹部に位置する前記モータケース内にブラシホルダを収納するようにしたことを特徴とする。
【発明の効果】
【００１１】
以上説明したように、請求項１及び請求項２の発明によれば、モータケースの開口部の開口端から離れた位置にフランジ部を形成すると共に、ギヤケースの開口部の締結部より後退した位置に係合凹部を形成し、この係合凹部内にモータケースの開口端を係合してモータケースとギヤケースとをフランジ部を介して締結固定すると共に、ギヤケースの係合凹部に位置するモータケース内にブラシホルダを収納するようにしたことにより、ギヤケースの開口部の係合凹部内にモータケースの開口端を係合して収納した長さ分、モータの全長を短くすることができる。これにより、モータの組み付け時にそのレイアウト性を向上させることができる。
【００１２】
また、ギヤケースの係合凹部内に位置するモータケース内にブラシホルダを収納したことにより、モータケースはギヤケースより比重が大きいためモータの作動音を低減することができる。
【発明を実施するための最良の形態】
【００１３】
以下、本発明の一実施形態を図面に基づいて説明する。
【００１４】
図１は本発明の一実施形態のモータを示す底面図、図２は同モータの断面図、図３は同モータに用いられるギヤケースにモータケースを組み付ける前の状態を示す斜視図、図４（ａ）は同モータケースの開口端にフランジ部を折り曲げ成形する前の状態を示す部分平面図、図４（ｂ）は同折り曲げ成形後のフランジ部の平面図、図４（ｃ）は同折り曲げ成形後のフランジ部の断面図である。
【００１５】
図１，図２に示すように、モータ１０は、略有底扁平円筒状のヨーク（モータケース）１１と、このヨーク１１の開口部１１ａに結合されるギヤケース１３とを備えている。
【００１６】
図３に示すように、ヨーク１１の開口部１１ａには径方向の外側に延びる複数のフランジ部１２を切り起こし形成してある。即ち、図４（ａ），（ｂ），（ｃ）に示すように、ヨーク１１の開口部１１ａには該開口部１１ａの開口端１１ｂから有底筒部（底部）１１ｃ側に延びる一対のスリット（切欠部）１１ｄ，１１ｄを介して複数（この実施形態では２ケ所）のフランジ部１２を折り曲げ形成してある。また、各フランジ部１２にはボルト（ねじ部材）１６のねじを形成したシャンク部１６ａを挿通させる円形の挿通孔１２ａを形成してある。
【００１７】
また、図１〜図３に示すように、ギヤケース１３の正面側の開口部１３ａにはナット（締結部材）１７を係止する複数（この実施形態では２ケ所）の締結部１４を形成してある。この各締結部１４はナット１７を収納して係止する凹部１４ａとボルト１６のシャンク部１６ａを挿通する挿通孔１４ｂとを有している。さらに、ギヤケース１３の正面側の開口部１３ａには各締結部１４より後退する位置に係合凹部１５を形成してある。そして、ギヤケース１３の係合凹部１５内にヨーク１１の開口端１１ｂを係合させ、各フランジ部１２の挿通孔１２ａよりボルト１６のシャンク部１６ａを挿通して、該ボルト１６のシャンク部１６ａを締結部１４に係止されたナット１７に螺合できるようになっている。これにより、ヨーク１１の開口部１１ａとギヤケース１３の正面側の開口部１３ａが合わされた状態でボルト１６とナット１７を介して締結固定されるようになっている。
【００１８】
尚、図３に示すように、ギヤケース１３の一側面側の開口部１３ｂは、図示しないカバーにより覆われるようになっている。
【００１９】
図２に示すように、ヨーク１１の内周面１１ｅには一対のマグネット１８，１８が接着剤等を介して固着してある。そして、ヨーク１１の有底筒部１１ｃに嵌合された軸受１９ａと、ギヤケース１３の軸穴１３ｃの両端近傍に嵌合された一対の軸受１９ｂ，１９ｃとでアーマチュア軸２１を回転自在に支持してある。
【００２０】
このアーマチュア軸２１は、その一端の近傍にウォーム２２を形成してある。また、アーマチュア軸２１の一対のマグネット１８，１８に対向する位置にはアーマチュア２０を取り付けてある。このアーマチュア２０は、アーマチュア軸２１に固定され、所定のスロット数のコイル巻回部を持つアーマチュアコア２０ａと、このアーマチュアコア２０ａのコイル巻回部に巻き回されたアーマチュアコイル２０ｂとで構成されている。
【００２１】
さらに、アーマチュア軸２１のヨーク１１とギヤケース１３との境部分に対向する位置の該ヨーク１１の開口部１１ａ内には、コンミュテータ２３を固定してある。このコンミュテータ２３はアーマチュアコア２０ａのコイル巻回部と同数のコンミュテータ片２３ａを備えていて、各コンミュテータ片２３ａとアーマチュアコイル２０ｂとは電気的にそれぞれ接続されている。
【００２２】
さらに、ギヤケース１３の係合凹部１５内に位置するヨーク１１の開口部１１ａ内のコンミュテータ２３に対向する位置には、ブラシホルダ２４を介して一対のブラシ２５，２５をコンミュテータ片２３ａに接触するように取り付けてある。各ブラシ２５は図示しないモータ制御回路にそれぞれ電気的に接続されていて、このモータ制御回路の制御により電流がアーマチュア２０等に流れてアーマチュア軸２１が正逆回転するようになっている。
【００２３】
また、ギヤケース１３の略中央には、軸穴１３ｃに連通する凹状の減速機構収納部１３ｄを形成してある。この減速機構収納部１３ｄ内には、アーマチュア軸２１のウォーム２２に噛合するウォームホイール２６を回転自在に支持してある。このウォームホイール２６の中央には出力軸２７が固定されている。これらウォーム２２とウォームホイール２６とでアーマチュア２０のアーマチュア軸２１の回転を減速させる減速機構Ｓが構成されている。
【００２４】
以上実施形態のモータ１０によれば、ヨーク１１の開口部１１ａの開口端１１ｂから離れた位置にフランジ部１２を折り曲げ形成すると共に、ギヤケース１３の開口部１３ａの締結部１４より後退した位置に係合凹部１５を形成し、この係合凹部１５内にヨーク１１の開口端１１ｂを係合して、ヨーク１１とギヤケース１３とをフランジ部１２とボルト１６及びナット１７を介して締結固定するようにしたことにより、図１に示すように、ギヤケース１３の開口部１３ａの係合凹部１５内にヨーク１１の開口端１１ｂを係合して収納した長さＬ分、モータ１０の全長を従来のものに比較して短くすることができる。これにより、モータ１０の組み付け時にそのレイアウト性を向上させることができる。
【００２５】
また、ギヤケース１３の係合凹部１５内に位置するヨーク１１内にブラシホルダ２４を収納したことにより、ヨーク１１はギヤケース１３より比重が大きいためモータ１０の作動音を低減することができる。
【００２６】
尚、前記実施形態によれば、ねじ部材としてボルトを用いて該ボルトをギヤケースの締結部に係止したナットと螺合して締結固定するようにしたが、ビス等のねじ部材を用いてギヤケースの締結部に形成したねじ穴に直接螺合して締結固定するようにしても良い。
【図面の簡単な説明】
【００２７】
【図１】本発明の一実施形態のモータを示す底面図である。
【図２】上記モータの断面図である。
【図３】上記モータに用いられるギヤケースにモータケースを組み付ける前の状態を示す斜視図である。
【図４】（ａ）は上記モータケースの開口端にフランジ部を折り曲げ成形する前の状態を示す部分平面図、（ｂ）は同折り曲げ成形後のフランジ部の平面図、（ｃ）は同折り曲げ成形後のフランジ部の断面図である。
【図５】従来のモータの分解図である。
【符号の説明】
【００２８】
１０  モータ
１１  ヨーク（モータケース）
１１ａ  開口部
１１ｂ  開口端
１１ｃ  有底筒部（底部）
１１ｄ，１１ｄ  一対のスリット（切欠部）
１２  フランジ部
１２ａ  挿通孔
１３  ギヤケース
１４  締結部
１５  係合凹部
１６  ボルト（ねじ部材）
１６ａ  シャンク部（ねじ部）
１７  ナット（締結部材）
１８  マグネット
１９ａ，１９ｂ．１９ｃ  軸受
２０  アーマチュア
２１  アーマチュア軸
２３  コンミュテータ
２４  ブラシホルダ
２５  ブラシ
【図１】
2008086110.tif 000003
【図２】
2008086110.tif 000004
【図３】
2008086110.tif 000005
【図４】
2008086110.tif 000006
【図５】
2008086110.tif 000007